(57)【要約】【課題】ＯＦＤＭ送信機において、多重後の送信波形に含まれるピークが受信のダイナミックレンジを超す場合には、送信失敗となる。送信失敗後は、再送を行うが、同じデータを送信するため、同じ送信波形になり、連続送信失敗となる。【解決手段】送信データの符号化・変調を行う符号化・変調部１０１と、これに同期してダミーデータを作成するダミーデータ作成部１０２と、送信失敗時に送信データの再送を制御し、再送時のみダミーデータ作成部を駆動して毎回異なるダミーデータの作成を行わせる再送制御部２０１と、符号化・変調データとダミーデータとを入力して多重化し周波数領域データから時間領域データに逆フーリエ変換する逆フーリエ変換部１０３と、逆フーリエ変換されたデータの送信信号を無線送信するアンテナ１０４とを備える。【選択図】  図２
2004343591.tif 000002
【特許請求の範囲】
【請求項１】
送信波形にダミー波形を多重させ、前記ダミー波形を送信のたびに異なる波形とすることを特徴とするＯＦＤＭ送信方法。
【請求項２】
再送波形にダミー波形を多重させ、前記ダミー波形を再送のたびに異なる波形とすることを特徴とするＯＦＤＭ送信方法。
【請求項３】
請求項１または請求項２に記載のＯＦＤＭ送信方法において、送信波形内のピークがある閾値を超えているときのみ前記ダミー波形を多重させ、前記ダミー波形を送信のたびに異なる波形とすることを特徴とするＯＦＤＭ送信方法。
【請求項４】
Ｎ個（Ｎは自然数）のサブキャリア波形を多重させている送信波形において、前記Ｎ個のサブキャリアから送信のたびに異なるサブキャリアを除外することを特徴とするＯＦＤＭ送信方法。
【請求項５】
Ｎ個（Ｎは自然数）のサブキャリア波形を多重させている送信波形において、Ｎ個のサブキャリアのうち少なくとも１つを除外し、前記除外するサブキャリアを再送のたびに異なるサブキャリアとすることを特徴とするＯＦＤＭ送信方法。
【請求項６】
請求項４に記載のＯＦＤＭ送信方法において、逆フーリエ変換の過程において送信波形のピーク形成上最も支配的なサブキャリアを特定し、再送時には前記特定したサブキャリアを多重化から除外することを特徴とするＯＦＤＭ送信方法。
【請求項７】
請求項４に記載のＯＦＤＭ送信方法において、送信波形内のピークがある閾値を超えているときのみ前記逆フーリエ変換の過程において送信波形のピーク形成上最も支配的なサブキャリアを追及し、前記最も支配的なサブキャリアを多重化から除外することを特徴とするＯＦＤＭ送信方法。
【請求項８】
送信データの符号化・変調を行う符号化・変調部と、前記符号化・変調部に同期して送信のたびに毎回異なるダミーデータを作成するダミーデータ作成部と、前記符号化・変調部からの符号化・変調データと前記ダミーデータ作成部で作成されたデータとを入力して多重化し周波数領域データから時間領域データに逆フーリエ変換する逆フーリエ変換部と、前記逆フーリエ変換されたデータの送信信号を無線送信するアンテナとを備えたＯＦＤＭ送信機。
【請求項９】
送信データの符号化・変調を行う符号化・変調部と、前記符号化・変調部に同期してダミーデータを作成するダミーデータ作成部と、送信失敗時に送信データの再送を制御し、再送時のみ前記ダミーデータ作成部を駆動して毎回異なるダミーデータの作成を行わせる再送制御部と、前記符号化・変調部からの符号化・変調データと前記ダミーデータ作成部で作成されたデータとを入力して多重化し周波数領域データから時間領域データに逆フーリエ変換する逆フーリエ変換部と、前記逆フーリエ変換されたデータの送信信号を無線送信するアンテナとを備えたＯＦＤＭ送信機。
【請求項１０】
請求項８または請求項９に記載のＯＦＤＭ送信機において、さらに、前記逆フーリエ変換部から入力した送信波形のピークが所定の閾値を超えているか否かの検出を行い、閾値を超えない場合はそのまま前記アンテナに送出し、閾値を超える場合は前記ダミーデータ作成部を起動するピーク検出部を備えたＯＦＤＭ送信機。
【請求項１１】
送信データの符号化・変調を行う符号化・変調部と、前記符号化・変調部からの符号化・変調データを入力して複数のサブキャリアを多重化し周波数領域データから時間領域データに逆フーリエ変換する逆フーリエ変換部と、前記符号化・変調部に同期して送信のたびに、前記逆フーリエ変換部において符号化／変調データに多重化される複数のサブキャリアのうちから除外すべきサブキャリアを決定する除外サブキャリア決定部と、前記逆フーリエ変換されたデータの送信信号を無線送信するアンテナとを備えたＯＦＤＭ送信機。
【請求項１２】
送信データの符号化・変調を行う符号化・変調部と、前記符号化・変調部からの符号化・変調データを入力して複数のサブキャリアを多重化し周波数領域データから時間領域データに逆フーリエ変換する逆フーリエ変換部と、前記逆フーリエ変換部において符号化／変調データに多重化される複数のサブキャリアのうちから除外すべきサブキャリアを決定する除外サブキャリア決定部と、送信失敗時に送信データの再送を制御し、再送時のみ前記除外サブキャリア決定部を駆動して除外すべきサブキャリアを毎回異ならせる再送制御部と、前記逆フーリエ変換されたデータの送信信号を無線送信するアンテナとを備えたＯＦＤＭ送信機。
【請求項１３】
請求項１１に記載のＯＦＤＭ送信機において、さらに、逆フーリエ変換・多重によって作成した送信波形においてピーク形成上最も支配的なサブキャリアを特定抽出し、そのピークサブキャリア情報を前記除外サブキャリア決定部に送出する逆フーリエ変換・解析部を備えたＯＦＤＭ送信機。
【請求項１４】
請求項１３に記載のＯＦＤＭ送信機において、さらに、前記逆フーリエ変換・解析部から入力した送信波形のピークが所定の閾値を超えているか否かの検出を行い、閾値を超えない場合はそのまま前記アンテナに送出し、閾値を超える場合は前記除外サブキャリア決定部を起動するピーク検出部を備えたＯＦＤＭ送信機。
【発明の詳細な説明】
【０００１】
【発明の属する技術分野】
本発明は、ＯＦＤＭ（Ｏｒｔｈｏｇｏｎａｌ  Ｆｒｅｑｕｅｎｃｙ  ＤｉｖｉｓｉｏｎＭｕｌｔｉｐｌｅｘｉｎｇ：直交周波数分割多重）方式の送信方法、送信機において、通信精度を改善するための技術に関する。
【０００２】
【従来の技術】
従来のＯＦＤＭ方式の通信方式では、複数の直交系のサブキャリア（図９（ａ））、（図９（ｂ））、（図９（ｃ））にデータを乗せ、それらを多重し、多重波形（図９（ｄ））を送信波形として通信を行っていた。
【０００３】
【非特許文献１】
ＩＥＥＥ  Ｐ８０２．１１ａ／Ｄ７．０，Ｊｕｌｙ  １９９９
【０００４】
【発明が解決しようとする課題】
しかし、通信データによっては多重後の送信波形に大きなピークを含むことがあり、そのピークが受信のダイナミックレンジを超す場合には、送信失敗となる。送信失敗後は、再送を行うが、同じデータを送信するため、同じ送信波形になり、連続送信失敗となる可能性が非常に高くなる。
【０００５】
本発明は、このような事情に鑑みて創作したものであり、連続送信失敗を防いだり、通信精度の改善を図ることを目的としている。
【０００６】
【課題を解決するための手段】
上記の課題を解決するために、本発明は次のような手段を講じる。その骨子は、送信信号の送信または再送のたびに送信波形を変化させることである。
【０００７】
第１の解決手段として、本発明によるＯＦＤＭ送信方法は、送信波形にダミー波形を多重させ、前記ダミー波形を送信のたびに異なる波形とすることを特徴とする。ダミー波形は、データ通信に用いない直交系のサブキャリアにダミーデータをのせることで形成される。これによれば、ダミー波形を送信波形に多重させることによって送信波形を変化させるのであるが、送信波形に大きなピークを含むことがあっても、送信のたびに送信波形を異ならせることができるため、連続送信失敗の可能性を減らすことができる。また、受信時のダイナミックレンジを特別に大きくすることなく送信失敗を防ぐことができ、通信精度の改善を図ることができる。
【０００８】
上記第１の解決手段をＯＦＤＭ送信機として記述すると、次のようになる。すなわち、送信データの符号化・変調を行う符号化・変調部と、前記符号化・変調部に同期して送信のたびに毎回異なるダミーデータを作成するダミーデータ作成部と、前記符号化・変調部からの符号化・変調データと前記ダミーデータ作成部で作成されたデータとを入力して多重化し周波数領域データから時間領域データに逆フーリエ変換する逆フーリエ変換部と、前記逆フーリエ変換されたデータの送信信号を無線送信するアンテナとを備えている。
【０００９】
この構成による作用は次のとおりである。符号化・変調部において送信データの符号化・変調を行い、逆フーリエ変換部に送出する。同時に、ダミーデータ作成部でダミーデータを作成し、データ通信に用いない直交系のサブキャリアにダミーデータをのせるが、送信のたびに毎回異なる状態でダミーデータを作成し、逆フーリエ変換部に送出する。逆フーリエ変換部は、符号化・変調部からの符号化／変調データとダミーデータ作成部からのダミーデータとを入力して多重化し、周波数領域データから時間領域データに逆フーリエ変換し、逆フーリエ変換された送信信号はアンテナによって無線送信される。送信失敗になった場合、同じ送信データが再送されるが、ダミーデータ作成部では前回送信時とは異なるダミーデータが作成され、前回と同じ送信データの符号化／変調データと前回とは異なるダミーデータとが多重される。送信データが同じでも、送信のたびに毎回異なるダミーデータを作成し多重するため、送信信号の波形は毎回異なる。したがって、受信時のダイナミックレンジを特別に大きくしなくても、連続送信失敗を抑制し、通信精度を改善できる。
【００１０】
第２の解決手段として、本発明によるＯＦＤＭ送信方法は、再送波形にダミー波形を多重させ、前記ダミー波形を再送のたびに異なる波形とすることを特徴とする。
【００１１】
上記第２の解決手段をＯＦＤＭ送信機として記述すると、次のようになる。すなわち、送信データの符号化・変調を行う符号化・変調部と、前記符号化・変調部に同期してダミーデータを作成するダミーデータ作成部と、送信失敗時に送信データの再送を制御し、再送時のみ前記ダミーデータ作成部を駆動して毎回異なるダミーデータの作成を行わせる再送制御部と、前記符号化・変調部からの符号化・変調データと前記ダミーデータ作成部で作成されたデータとを入力して多重化し周波数領域データから時間領域データに逆フーリエ変換する逆フーリエ変換部と、前記逆フーリエ変換されたデータの送信信号を無線送信するアンテナとを備えている。
【００１２】
第２の解決手段のＯＦＤＭ送信方法またはＯＦＤＭ送信機は、送信失敗が判明したときに、ダミー波形の多重を開始するものであり、上記同様の作用を発揮する。
【００１３】
第３の解決手段として、本発明によるＯＦＤＭ送信方法は、上記第１，第２の解決手段において、送信波形内のピークがある閾値を超えているときのみ前記ダミー波形を多重させ、前記ダミー波形を送信のたびに異なる波形とすることを特徴とする。
【００１４】
上記第３の解決手段をＯＦＤＭ送信機として記述すると、次のようになる。すなわち、上記のＯＦＤＭ送信機において、さらに、前記逆フーリエ変換部から入力した送信波形のピークが所定の閾値を超えているか否かの検出を行い、閾値を超えない場合はそのまま前記アンテナに送出し、閾値を超える場合は前記ダミーデータ作成部を起動するピーク検出部を備えている。
【００１５】
第３の解決手段のＯＦＤＭ送信方法またはＯＦＤＭ送信機は、送信失敗の判明をまってダミー波形の多重を開始するのではなく、より積極的に、送信波形のピークを判定し、ピーク値異常があればダミー波形の多重を開始するものであり、より迅速・的確な対応が可能である。
【００１６】
第４の解決手段として、本発明によるＯＦＤＭ送信方法は、Ｎ個（Ｎは自然数）のサブキャリア波形を多重させている送信波形において、前記Ｎ個のサブキャリアから送信のたびに異なるサブキャリアを除外することを特徴とする。これによれば、送信波形に多重されている直交系のＮ個のサブキャリアからあるサブキャリアの多重を除外するのであるが、送信のたびに除外するサブキャリアを変えることにより、送信波形に大きなピークを含むことがあっても、送信のたびに送信波形を異ならせることができるため、連続送信失敗の可能性を減らすことができる。また、受信時のダイナミックレンジを特別に大きくすることなく送信失敗を防ぐことができ、通信精度の改善を図ることができる。
【００１７】
上記第４の解決手段をＯＦＤＭ送信機として記述すると、次のようになる。すなわち、送信データの符号化・変調を行う符号化・変調部と、前記符号化・変調部からの符号化・変調データを入力して複数のサブキャリアを多重化し周波数領域データから時間領域データに逆フーリエ変換する逆フーリエ変換部と、前記符号化・変調部に同期して送信のたびに、前記逆フーリエ変換部において符号化／変調データに多重化される複数のサブキャリアのうちから除外すべきサブキャリアを決定する除外サブキャリア決定部と、前記逆フーリエ変換されたデータの送信信号を無線送信するアンテナとを備えている。
【００１８】
この構成による作用は次のとおりである。符号化・変調部において送信データの符号化・変調を行い、逆フーリエ変換部に送出する。同時に、除外サブキャリア決定部は多重化の候補の複数のサブキャリアのうち特定のサブキャリアを除外すべきサブキャリアとして決定し、その除外サブキャリア情報を逆フーリエ変換部に伝える。逆フーリエ変換部は、全候補のサブキャリアのうちから除外サブキャリア情報が指示するサブキャリアを多重化から除外し、残りのサブキャリアを符号化・変調データに多重化し、周波数領域データから時間領域データに逆フーリエ変換し、逆フーリエ変換された送信信号はアンテナによって無線送信される。送信失敗になった場合、同じ送信データが再送されるが、除外サブキャリア決定部では前回送信時とは異なるサブキャリアを除外すべきサブキャリアとして決定する。前回と同じ送信データの符号化／変調データに前回とは異なるサブキャリアが除外された残りのサブキャリアが多重される。送信データが同じでも、送信のたびに毎回異なるサブキャリアが除外されるため、送信信号の波形は毎回異なる。したがって、受信時のダイナミックレンジを特別に大きくしなくても、連続送信失敗を抑制し、通信精度を改善できる。
【００１９】
第５の解決手段として、本発明によるＯＦＤＭ送信方法は、Ｎ個（Ｎは自然数）のサブキャリア波形を多重させている送信波形において、Ｎ個のサブキャリアのうち少なくとも１つを除外し、前記除外するサブキャリアを再送のたびに異なるサブキャリアとすることを特徴とする。
【００２０】
上記第５の解決手段をＯＦＤＭ送信機として記述すると、次のようになる。すなわち、送信データの符号化・変調を行う符号化・変調部と、前記符号化・変調部からの符号化・変調データを入力して複数のサブキャリアを多重化し周波数領域データから時間領域データに逆フーリエ変換する逆フーリエ変換部と、前記逆フーリエ変換部において符号化／変調データに多重化される複数のサブキャリアのうちから除外すべきサブキャリアを決定する除外サブキャリア決定部と、送信失敗時に送信データの再送を制御し、再送時のみ前記除外サブキャリア決定部を駆動して除外すべきサブキャリアを毎回異ならせる再送制御部と、前記逆フーリエ変換されたデータの送信信号を無線送信するアンテナとを備えている。
【００２１】
第５の解決手段のＯＦＤＭ送信方法またはＯＦＤＭ送信機は、送信失敗が判明したときに、除外すべきサブキャリアの決定を開始するものであり、上記同様の作用を発揮する。
【００２２】
第６の解決手段として、本発明によるＯＦＤＭ送信方法は、上記第４の解決手段のＯＦＤＭ送信方法において、逆フーリエ変換の過程において送信波形のピーク形成上最も支配的なサブキャリアを特定し、再送時には前記特定したサブキャリアを多重化から除外することを特徴とする。
【００２３】
上記第６の解決手段をＯＦＤＭ送信機として記述すると、次のようになる。すなわち、上記第４の解決手段のＯＦＤＭ送信機において、さらに、逆フーリエ変換・多重によって作成した送信波形においてピーク形成上最も支配的なサブキャリアを特定抽出し、そのピークサブキャリア情報を前記除外サブキャリア決定部に送出する逆フーリエ変換・解析部を備えている。
【００２４】
第６の解決手段のＯＦＤＭ送信方法またはＯＦＤＭ送信機は、単に送信失敗の判明をまって除外すべきサブキャリアの決定を行うのではなく、より積極的に、最も支配的なサブキャリアを特定抽出し、その特定抽出した最も支配的なサブキャリアを除外するものであり、より迅速・的確な対応が可能である。
【００２５】
第７の解決手段として、本発明によるＯＦＤＭ送信方法は、上記第４の解決手段において、送信波形内のピークがある閾値を超えているときのみ前記逆フーリエ変換の過程において送信波形のピーク形成上最も支配的なサブキャリアを追及し、前記最も支配的なサブキャリアを多重化から除外することを特徴とする。
【００２６】
上記第７の解決手段をＯＦＤＭ送信機として記述すると、次のようになる。すなわち、上記第６の解決手段のＯＦＤＭ送信機において、さらに、前記逆フーリエ変換・解析部から入力した送信波形のピークが所定の閾値を超えているか否かの検出を行い、閾値を超えない場合はそのまま前記アンテナに送出し、閾値を超える場合は前記除外サブキャリア決定部を起動するピーク検出部を備えている。
【００２７】
第７の解決手段のＯＦＤＭ送信方法またはＯＦＤＭ送信機は、単に送信失敗の判明をまって除外すべきサブキャリアの決定を行うのではなく、より積極的に、送信波形のピークを判定し、ピーク値異常があれば最も支配的なサブキャリアの特定抽出を開始し、その特定抽出した最も支配的なサブキャリアを除外するものであり、より迅速・的確な対応が可能である。
【００２８】
【発明の実施の形態】
以下、本発明にかかわるＯＦＤＭ送信機の実施の形態を図面に基づいて詳細に説明する。
【００２９】
（実施の形態１）
図１は本発明の実施の形態１におけるＯＦＤＭ送信機の構成を示すブロック図である。実施の形態１は、送信のたびに毎回異なるダミーデータを多重させるものである。
【００３０】
図１において、１０１は送信データの符号化・変調を行う符号化・変調部、１０２は符号化・変調部１０１に同期して送信のたびに毎回異なるダミーデータを作成するダミーデータ作成部、１０３は符号化・変調部１０１からの符号化・変調データとダミーデータ作成部１０２で作成されたデータを一時的に内蔵シフトレジスタに蓄積し、蓄積データを多重化し、周波数領域データから時間領域データに逆フーリエ変換するＩＦＦＴ部（逆フーリエ変換部）、１０４は多重化されたデータの送信信号を無線送信するアンテナである。
【００３１】
次に、上記構成のＯＦＤＭ送信機の動作を説明する。符号化・変調部１０１において、送信データの符号化・変調を行い、ＩＦＦＴ部１０３に送出する。同時に、ダミーデータ作成部１０２において、ダミーデータを作成するが、送信のたびに毎回異なる状態でダミーデータを作成し、ＩＦＦＴ部１０３に送出する。ＩＦＦＴ部１０３は、符号化・変調部１０１からの符号化／変調データとダミーデータ作成部１０２からのダミーデータとを入力し、内蔵のシフトレジスタに一時的に蓄積し、蓄積データを多重化し、周波数領域データから時間領域データに逆フーリエ変換する。逆フーリエ変換された送信信号はアンテナ１０４によって無線送信される。
【００３２】
送信された信号が送信失敗になった場合、前回と同じ送信データの再送が開始される。符号化・変調部１０１では前回同様に符号化・変調が行われる。ダミーデータ作成部１０２では、前回送信時とは異なるダミーデータが作成される。そして、前回と同じ送信データの符号化／変調データと前回とは異なるダミーデータとがＩＦＦＴ部１０３で多重され、アンテナ１０４から送信される。送信データが同じでも、ダミーデータ作成部１０２で送信のたびに毎回異なるダミーデータを作成し多重するため、送信信号の波形は毎回異なる。よって連続送信失敗の可能性を減らすことができる。また、受信時のダイナミックレンジを特別に大きくすることなく送信失敗を防ぐことができ、通信精度の改善を図ることができる。
【００３３】
（実施の形態２）
図２は本発明の実施の形態２におけるＯＦＤＭ送信機の構成を示すブロック図である。実施の形態２は、再送信のたびに毎回異なるダミーデータを多重させるものである。
【００３４】
図２において、２０１は送信失敗時に送信データの再送を制御し、再送時のみダミーデータ作成部１０２を駆動して毎回異なるダミーデータの作成を行わせる再送制御部である。その他の構成については実施の形態１の場合の図１と同様であるので、同一部分に同一符号を付すにとどめ、説明を省略する。
【００３５】
次に、上記構成のＯＦＤＭ送信機の動作を説明する。送信データの初回の送信においては、再送制御部２０１はダミーデータ作成部１０２を起動しない。符号化・変調部１０１において、送信データの符号化・変調を行い、ＩＦＦＴ部１０３に送出する。ＩＦＦＴ部１０３は、符号化・変調部１０１からの符号化／変調データを入力し、内蔵のシフトレジスタに一時的に蓄積し、蓄積データを多重化し、周波数領域データから時間領域データに逆フーリエ変換する。逆フーリエ変換で生成された送信信号はアンテナ１０４によって無線送信される。
【００３６】
送信された信号が送信失敗になった場合、再送制御部２０１はダミーデータ作成部１０２を起動するとともに、前回と同じ送信データの再送を開始する。符号化・変調部１０１では前回同様に符号化・変調が行われる。再送制御部２０１によって起動されたダミーデータ作成部１０２では、ダミーデータを作成し、ＩＦＦＴ部１０３に送出する。ＩＦＦＴ部１０３は、符号化・変調部１０１からの符号化／変調データとダミーデータ作成部１０２からのダミーデータとを入力し、内蔵のシフトレジスタに一時的に蓄積し、蓄積データを多重化し、周波数領域データから時間領域データに逆フーリエ変換する。逆フーリエ変換された送信信号はアンテナ１０４によって無線送信される。
【００３７】
ダミーデータを多重化した送信信号も送信失敗になった場合、再送制御部２０１は引き続いてダミーデータ作成部１０２を制御し、ダミーデータ作成部１０２は前回送信時とは異なるダミーデータを作成する。そして、前回と同じ送信データの符号化／変調データと前回とは異なるダミーデータとがＩＦＦＴ部１０３で多重され、アンテナ１０４から送信される。送信データが同じでも、ダミーデータ作成部１０２で送信のたびに毎回異なるダミーデータを作成し多重するため、送信信号の波形は毎回異なる。よって連続送信失敗の可能性を減らすことができる。また、受信時のダイナミックレンジを特別に大きくすることなく送信失敗を防ぐことができ、通信精度の改善を図ることができる。
【００３８】
（実施の形態３）
図３は本発明の実施の形態３におけるＯＦＤＭ送信機の構成を示すブロック図である。実施の形態３は、送信波形にピークがある場合に、ダミーデータを多重させ送信するものである。
【００３９】
図３において、３０１はＩＦＦＴ部１０３から入力した送信波形のピークが所定の閾値を超えているか否かの検出を行うピーク検出部である。ピーク検出部３０１は、送信波形のピークが所定の閾値を超えない場合は、そのままアンテナ１０４に送出するが、所定の閾値を超える場合は、ダミーデータ作成部１０２を起動し、毎回異なるダミーデータを作成してＩＦＦＴ部１０３に送出させる。その他の構成については実施の形態１の場合の図１と同様であるので、同一部分に同一符号を付すにとどめ、説明を省略する。
【００４０】
次に、上記構成のＯＦＤＭ送信機の動作を説明する。送信データの初回の送信においては、ダミーデータ作成部１０２は起動しない。符号化・変調部１０１において、送信データの符号化・変調を行い、ＩＦＦＴ部１０３に送出する。ＩＦＦＴ部１０３は、符号化・変調部１０１からの符号化／変調データを入力し、内蔵のシフトレジスタに一時的に蓄積し、蓄積データを多重化し、周波数領域データから時間領域データに逆フーリエ変換する。逆フーリエ変換で生成された送信信号はピーク検出部３０１に送出される。ピーク検出部３０１は、ＩＦＦＴ部１０３から入力した送信波形のピークが所定の閾値を超えているか否かの検出を行い、閾値を超えていない場合は、そのままアンテナ１０４に送出し、アンテナ１０４によって無線送信される。
【００４１】
一方、ピーク検出部３０１において入力送信波形のピークが所定の閾値を超えている場合には、ダミーデータ作成部１０２を起動し、ダミーデータを作成させる。ＩＦＦＴ部１０３は、符号化／変調データとダミーデータとを入力し、内蔵のシフトレジスタに一時的に蓄積し、蓄積データを多重化し、周波数領域データから時間領域データに逆フーリエ変換する。逆フーリエ変換された送信信号はピーク検出部３０１で再度チェックされる。
【００４２】
再チェックでも所定の閾値を超える場合、ピーク検出部３０１は引き続いてダミーデータ作成部１０２を制御し、ダミーデータ作成部１０２は前回送信時とは異なるダミーデータを作成する。そして、前回と同じ送信データの符号化／変調データと前回とは異なるダミーデータとの重畳データがＩＦＦＴ部１０３で逆フーリエ変換され、ピーク検出部３０１で再度チェックされる。ピーク検出部３０１にてピークが超えない波形が形成されるまで繰り返す。所定の閾値を超えなくなると、アンテナ１０４からの無線送信が開始される。送信データが同じでも、ダミーデータ作成部１０２で送信のたびに毎回異なるダミーデータを作成し多重するため、送信信号の波形は毎回異なる。よって連続送信失敗の可能性を減らすことができる。また、受信時のダイナミックレンジを特別に大きくすることなく送信失敗を防ぐことができ、通信精度の改善を図ることができる。
【００４３】
（実施の形態４）
図４は本発明の実施の形態４におけるＯＦＤＭ送信機の構成を示すブロック図である。実施の形態４は、送信のたびに特定のサブキャリアを多重化から除外するように構成したものである。
【００４４】
図４において、４０１はＩＦＦＴ部１０３において符号化／変調データに多重化される複数のサブキャリアのうちから除外すべきサブキャリアを決定する除外サブキャリア決定部である。除外サブキャリア決定部４０１は、毎回異なるサブキャリアを除外すべきサブキャリアとして決定するように構成されている。その他の構成については実施の形態１の場合の図１と同様であるので、同一部分に同一符号を付すにとどめ、説明を省略する。
【００４５】
次に、上記構成のＯＦＤＭ送信機の動作を説明する。送信データの初回の送信においては、除外サブキャリア決定部４０１は起動しない。符号化・変調部１０１において、送信データの符号化・変調を行い、ＩＦＦＴ部１０３に送出する。ＩＦＦＴ部１０３は、符号化・変調部１０１からの符号化／変調データを入力し、内蔵のシフトレジスタに一時的に蓄積し、蓄積データを多重化し、周波数領域データから時間領域データに逆フーリエ変換し、複数のサブキャリアに多重化する。逆フーリエ変換で生成された送信信号はアンテナ１０４によって無線送信される。
【００４６】
送信された信号が送信失敗になった場合、除外サブキャリア決定部４０１が起動されるとともに、前回と同じ送信データの再送が開始される。符号化・変調部１０１では前回同様に符号化・変調が行われる。除外サブキャリア決定部４０１は、ＩＦＦＴ部１０３において多重化から除外すべきサブキャリアを決定し、除外サブキャリア情報をＩＦＦＴ部１０３に送出する。除外サブキャリア情報を受け取ったＩＦＦＴ部１０３は、その除外サブキャリア情報に対応したサブキャリアを除外した上で、残りのサブキャリアを符号化／変調データに多重化する。逆フーリエ変換された送信信号はアンテナ１０４によって無線送信される。
【００４７】
一部のサブキャリアを除外した送信信号も送信失敗になった場合、除外サブキャリア決定部４０１は前回送信時とは異なる除外サブキャリア情報を生成し、ＩＦＦＴ部１０３に送出する。そして、ＩＦＦＴ部１０３で前回と同じ送信データの符号化／変調データと前回とは異なるサブキャリアが除外されたサブキャリアとが多重され、アンテナ１０４から送信される。送信データが同じでも、送信のたびに毎回異なるサブキャリアが除外されるため、送信信号の波形は毎回異なる。よって連続送信失敗の可能性を減らすことができる。また、受信時のダイナミックレンジを特別に大きくすることなく送信失敗を防ぐことができ、通信精度の改善を図ることができる。多重させなかった送信信号は、受信回路にある誤り訂正機能で復元させることができる。
【００４８】
（実施の形態５）
図５は本発明の実施の形態５におけるＯＦＤＭ送信機の構成を示すブロック図である。実施の形態５は、再送信時に特定のサブキャリアを多重化から除外するように構成したものである。
【００４９】
図５において、２０２は送信失敗時に送信データの再送を制御し、再送時のみ除外サブキャリア決定部４０１を駆動して毎回異なる除外サブキャリア情報の生成を行わせる再送制御部である。その他の構成については実施の形態４の場合の図４と同様であるので、同一部分に同一符号を付すにとどめ、説明を省略する。
【００５０】
次に、上記構成のＯＦＤＭ送信機の動作を説明する。送信データの初回の送信においては、除外サブキャリア決定部４０１は起動しない。符号化・変調部１０１において、送信データの符号化・変調を行い、ＩＦＦＴ部１０３に送出する。ＩＦＦＴ部１０３は、符号化・変調部１０１からの符号化／変調データを入力し、内蔵のシフトレジスタに一時的に蓄積し、蓄積データを多重化し、周波数領域データから時間領域データに逆フーリエ変換し、複数のサブキャリアに多重化する。逆フーリエ変換で生成された送信信号はアンテナ１０４によって無線送信される。
【００５１】
送信された信号が送信失敗になった場合、再送制御部２０２は除外サブキャリア決定部４０１を起動するとともに、前回と同じ送信データの再送を開始する。符号化・変調部１０１では前回同様に符号化・変調が行われる。再送制御部２０２によって起動された除外サブキャリア決定部４０１は、ＩＦＦＴ部１０３において多重化から除外すべきサブキャリアを決定し、除外サブキャリア情報をＩＦＦＴ部１０３に送出する。除外サブキャリア情報を受け取ったＩＦＦＴ部１０３は、その除外サブキャリア情報に対応したサブキャリアを除外した上で、残りのサブキャリアを符号化／変調データに多重化する。逆フーリエ変換された送信信号はアンテナ１０４によって無線送信される。
【００５２】
一部のサブキャリアを除外した送信信号も送信失敗になった場合、再送制御部２０２は引き続いて除外サブキャリア決定部４０１を制御し、除外サブキャリア決定部４０１は前回送信時とは異なる除外サブキャリア情報を生成し、ＩＦＦＴ部１０３に送出する。そして、ＩＦＦＴ部１０３で前回と同じ送信データの符号化／変調データと前回とは異なるサブキャリアが除外されたサブキャリアとが多重され、アンテナ１０４から送信される。送信データが同じでも、送信のたびに毎回異なるサブキャリアが除外されるため、送信信号の波形は毎回異なる。よって連続送信失敗の可能性を減らすことができる。また、受信時のダイナミックレンジを特別に大きくすることなく送信失敗を防ぐことができ、通信精度の改善を図ることができる。多重させなかった送信信号は、受信回路にある誤り訂正機能で復元させることができる。
【００５３】
（実施の形態６）
図６は本発明の実施の形態６におけるＯＦＤＭ送信機の構成を示すブロック図である。実施の形態６は、送信のたびにピーク形成上最も支配的なサブキャリアを特定し、再送時にそのサブキャリアを多重させないように構成したものである。
【００５４】
図６において、６０１は逆フーリエ変換・多重によって作成した送信波形においてピーク形成上最も支配的なサブキャリアを特定抽出し、そのピークサブキャリア情報を記憶した上で除外サブキャリア決定部４０２に送出するＩＦＦＴ・解析部である。除外サブキャリア決定部４０２は、送信失敗時にＩＦＦＴ・解析部６０１から送出されてきたピークサブキャリア情報を受け取り、そのピークサブキャリア情報に対応するサブキャリアを除外すべきサブキャリアとして決定するように構成されている。その他の構成については実施の形態５の場合の図５と同様であるので、同一部分に同一符号を付すにとどめ、説明を省略する。
【００５５】
次に、上記構成のＯＦＤＭ送信機の動作を説明する。送信データの初回の送信においては、除外サブキャリア決定部４０２は起動しない。符号化・変調部１０１において、送信データの符号化・変調を行い、ＩＦＦＴ・解析部６０１に送出する。ＩＦＦＴ・解析部６０１は、符号化・変調部１０１からの符号化／変調データを入力し、内蔵のシフトレジスタに一時的に蓄積し、蓄積データを多重化し、周波数領域データから時間領域データに逆フーリエ変換し、複数のサブキャリアに多重化する。逆フーリエ変換で生成された送信信号はアンテナ１０４によって無線送信される。このとき、ＩＦＦＴ・解析部６０１は、逆フーリエ変換・多重によって作成した送信波形においてピーク形成上最も支配的なサブキャリアを特定抽出し、そのピークサブキャリア情報を除外サブキャリア決定部４０２に送出する。除外サブキャリア決定部４０２は、ＩＦＦＴ・解析部６０１から送出されてきたピークサブキャリア情報を記憶する。
【００５６】
送信された信号が送信失敗になった場合、再送制御部２０２は除外サブキャリア決定部４０２を起動するとともに、前回と同じ送信データの再送を開始する。符号化・変調部１０１では前回同様に符号化・変調が行われる。再送制御部２０２によって起動された除外サブキャリア決定部４０２は、記憶しているピークサブキャリア情報に対応するサブキャリアを除外すべきサブキャリアとして決定し、ＩＦＦＴ・解析部６０１に除外サブキャリア情報として伝える。除外サブキャリア情報を受け取ったＩＦＦＴ・解析部６０１は、その除外サブキャリア情報に対応したサブキャリアを除外した上で、残りのサブキャリアを符号化／変調データに多重化する。逆フーリエ変換された送信信号はアンテナ１０４によって無線送信される。
【００５７】
一部のサブキャリアを除外した送信信号も送信失敗になった場合、再送制御部２０２および除外サブキャリア決定部４０２による上記動作を繰り返す。ピーク形成上最も支配的なサブキャリアが除外されるため、連続送信失敗の可能性を減らすことができる。また、受信時のダイナミックレンジを特別に大きくすることなく送信失敗を防ぐことができ、通信精度の改善を図ることができる。
【００５８】
（実施の形態７）
図７は本発明の実施の形態７におけるＯＦＤＭ送信機の構成を示すブロック図である。送信のたびに最もピーク化に起因するサブキャリアを特定し、そのサブキャリアを多重化から除外するように構成したものである。
【００５９】
図７において、３０２はＩＦＦＴ・解析部６０１から入力した送信波形のピークが所定の閾値を超えているか否かの検出を行うピーク検出部である。ピーク検出部３０２は、送信波形のピークが所定の閾値を超えない場合は、そのままアンテナ１０４に送出するが、所定の閾値を超える場合は、除外サブキャリア決定部４０３を起動する。し、毎回異なるダミーデータを作成してＩＦＦＴ部１０３に送出させる。その他の構成については実施の形態６の場合の図６と同様であるので、同一部分に同一符号を付すにとどめ、説明を省略する。ただし、再送制御部２０２は省略されている。
【００６０】
次に、上記構成のＯＦＤＭ送信機の動作を説明する。送信データの初回の送信においては、除外サブキャリア決定部４０３は起動しない。符号化・変調部１０１において、送信データの符号化・変調を行い、ＩＦＦＴ・解析部６０１に送出する。ＩＦＦＴ・解析部６０１は、符号化・変調部１０１からの符号化／変調データを入力し、内蔵のシフトレジスタに一時的に蓄積し、蓄積データとその複数のサブキャリアを多重化し、周波数領域データから時間領域データに逆フーリエ変換する。逆フーリエ変換で生成された送信信号はピーク検出部３０２に送出される。ピーク検出部３０２は、ＩＦＦＴ・解析部６０１から入力した送信波形の最大のピークが所定の閾値を超えているか否かの検出を行い、閾値を超えていない場合は、そのままアンテナ１０４に送出し、アンテナ１０４によって無線送信される。
【００６１】
上記の過程で、ＩＦＦＴ・解析部６０１は、逆フーリエ変換・多重によって作成した送信波形においてピーク形成上最も支配的なサブキャリアを特定抽出し、そのピークサブキャリア情報を除外サブキャリア決定部４０３に送出する。除外サブキャリア決定部４０３は、ＩＦＦＴ・解析部６０１から送出されてきたピークサブキャリア情報を記憶する。
【００６２】
ピーク検出部３０２において所定の閾値を超えている場合には、除外サブキャリア決定部４０３を起動する。除外サブキャリア決定部４０３は、ＩＦＦＴ・解析部６０１によるピーク形成上最も支配的なサブキャリアの情報を受け、その情報に基づいて除外すべきサブキャリアを決定し、除外サブキャリア情報をＩＦＦＴ・解析部６０１に送出する。除外サブキャリア情報を受け取ったＩＦＦＴ・解析部６０１は、その除外サブキャリア情報に対応したサブキャリアを除外した上で、残りのサブキャリアを符号化／変調データに多重化する。多重化された送信信号はピーク検出部３０２を介してアンテナ１０４によって無線送信される。
【００６３】
一部のサブキャリアを除外した送信信号も送信失敗になった場合、ピーク検出部３０２および除外サブキャリア決定部４０３による上記動作を、ピークが所定の閾値以下になるまで繰り返す。逆フーリエ変換された送信信号はピーク検出部３０２で再度チェックされる。ピーク形成上最も支配的なサブキャリアが除外されるため、連続送信失敗の可能性を減らすことができる。また、受信時のダイナミックレンジを特別に大きくすることなく送信失敗を防ぐことができ、通信精度の改善を図ることができる。
【００６４】
次に、ＩＦＦＴ・解析部６０１の詳細を説明する。図８はＩＦＦＴ・解析部６０１の具体的構成を示すブロック図である。
【００６５】
図８において、８０１は符号化・変調部１０１からの符号化／変調データを一時的に蓄積し直列並列変換するシフトレジスタ、８１１〜８１４は第１段のバタフライ演算部、８２１〜８２４は第２段のバタフライ演算部、８３１〜８３４は第３段のバタフライ演算部、８４１はバッファ用のメモリ、８５１〜８５４は第４段のバタフライ演算部、８６１〜８６２は第６段のバタフライ演算部、８７１は最終段でＩＦＦＴ結果が出力されるバタフライ演算部、８８１は第１段のバタフライ演算部８１１〜８１４のフェーズにおいてピークが最も大きいサブキャリアを判断し記憶する第１段の判断・記憶部、８８２は第２段のバタフライ演算部８２１〜８２４のフェーズにおいてピークが最も大きいサブキャリアを判断し記憶する第２段の判断・記憶部、８８３は第３段のバタフライ演算部８３１〜８３４のフェーズにおいてピークが最も大きいサブキャリアを判断し記憶する第３段の判断・記憶部、８８４は第４段のバタフライ演算部８５１〜８５４のフェーズにおいてピークが最も大きいサブキャリアを判断し記憶する第４段の判断・記憶部、８８５は第５段のバタフライ演算部８６１〜８６４のフェーズにおいてピークが最も大きいサブキャリアを判断し記憶する第５段の判断・記憶部、８８６は最終段のバタフライ演算部８７１のフェーズにおいてピークが最も大きいサブキャリアを判断し記憶する最終段の判断・記憶部、８９１は複数段の判断・記憶部８８１〜８８６に記憶されたデータに基づいて全てのサブキャリアの中で最もピーク形成に支配的なサブキャリアを解析特定する解析部、８９２は解析部８９１による解析結果のサブキャリア情報を記憶する記憶部である。
【００６６】
上記のように構成されたＩＦＦＴ・解析部６０１の動作は次のとおりである。シフトレジスタ８０１から複数段のバタフライ演算部８１１〜８１４、８２１〜８２４、８３１〜８３４、メモリ８４１を経てバタフライ演算部８５１〜８５４、８６１〜８６２、８７１を経由してＩＦＦＴ結果が出力される。この場合、途中の個々のバタフライ演算のフェーズにおいて、判断・記憶部８８１〜８８６がそれぞれピークが最も大きいサブキャリアを判断し記憶する。解析部８９１は、それらのデータに基づいて、全てのサブキャリアの中で最もピーク形成に支配的なサブキャリアを解析特定し、記憶部８９２にてそのサブキャリアを記憶する。
【００６７】
【発明の効果】
以上のように本発明によれば、ＯＦＤＭ送信の方式において、送信のたびに異なる送信波形が作られるためピークに起因する連続送信失敗の可能性を減らすことができる。また、受信時のダイナミックレンジを特別に大きくすることなく送信失敗を防ぐことができ、通信精度の改善を図ることができる。
【図面の簡単な説明】
【図１】本発明の実施の形態１におけるＯＦＤＭ送信機の構成を示すブロック図
【図２】本発明の実施の形態２におけるＯＦＤＭ送信機の構成を示すブロック図
【図３】本発明の実施の形態３におけるＯＦＤＭ送信機の構成を示すブロック図
【図４】本発明の実施の形態４におけるＯＦＤＭ送信機の構成を示すブロック図
【図５】本発明の実施の形態５におけるＯＦＤＭ送信機の構成を示すブロック図
【図６】本発明の実施の形態６におけるＯＦＤＭ送信機の構成を示すブロック図
【図７】本発明の実施の形態７におけるＯＦＤＭ送信機の構成を示すブロック図
【図８】本発明の実施の形態７におけるＩＦＦＴ・解析部の詳細を説明するブロック図
【図９】ＯＦＤＭ通信における基本的なサブキャリア多重化を示す図
【符号の説明】
１０１  符号化・変調部
１０２  ダミーデータ作成部
１０３  ＩＦＦＴ部（逆フーリエ変換部）
１０４  アンテナ
２０１，２０２  再送制御部
３０１，３０２  ピーク検出部
４０１，４０２，４０３  除外サブキャリア決定部
６０１  ＩＦＦＴ・解析部（逆フーリエ変換・解析部）
７０１  ピーク検出部
８０１  シフトレジスタ
８１１〜８１４、８２１〜８２４、８３１〜８３４、８５１〜８５４、８６１〜８６２、８７１  バタフライ演算部
８４１  メモリ
８８１〜８８６  判断・記憶部
８９１  解析部
８９２  記憶部
【図１】
2004343591.tif 000003
【図２】
2004343591.tif 000004
【図３】
2004343591.tif 000005
【図４】
2004343591.tif 000006
【図５】
2004343591.tif 000007
【図６】
2004343591.tif 000008
【図７】
2004343591.tif 000009
【図８】
2004343591.tif 000010
【図９】
2004343591.tif 000011